(57)【特許請求の範囲】
【請求項１】
相対する一対の長辺側内壁面と相対する一対の短辺側内壁面とからなる内槽を有する上面視長方形状の浴槽と、前記一対の長辺側内壁面それぞれに取り付けられた一対の手摺と、を備えた手摺付浴槽において、
前記手摺の上面全体には、入浴者が入浴者の手の平により下方に押圧力を加えるための被押圧面部が形成されており、
前記被押圧面部は、前記浴槽の短辺方向の中心側に向かって、全体が下降傾斜していることを特徴とする手摺付浴槽。
【請求項２】
前記手摺は、入浴者が立ち上がる際に入浴者により把持される把持部を備えており、
この把持部は、前記被押圧面部を有すると共に、横断面視において前記被押面部の下方側に向う法線方向に鋭角状に突出した指掛け部が設けられていることを特徴とする請求項１に記載の手摺付浴槽。
【発明の詳細な説明】
【技術分野】
【０００１】
本発明は、手摺付浴槽に関する。 
【背景技術】
【０００２】
従来より、入浴者が着座姿勢から立ち上がる際の動作を補助するために、相対する内壁面それぞれに手摺を取り付けた浴槽が知られている（例えば、特許文献１）。そして、その浴槽に設けられた手摺として、上面がほぼ水平に形成されたタイプのものが知られている。
【０００３】
図７は、この種の手摺を使い、入浴者が自らの上半身を上方に押し上げることによって立ち上がるときの様子を表す図である。この図が示すように、入浴者Ｍは、浴槽１の相対する内壁に対し同じ高さに取り付けられた一対の手摺１１の上面に、左右それぞれの手を載せ、その上面に対して垂直な方向に力（図７中、Ｐ）を加えることにより、上半身の押し上げを行う。
【先行技術文献】
【特許文献】
【０００４】
【特許文献１】特開２０００−１６６７９３号公報
【発明の概要】
【発明が解決しようとする課題】
【０００５】
ところが、上記手摺１１を使って入浴者Ｍが上半身を押し上げる際、入浴者は手摺１１の上面に対して垂直に力を加えるために、下腕Ａ２をその上面に対し略垂直に立てようと自らの肘を張り出し、結果的に脇を開いてしまう。脇を開くと、上腕Ａ１と胴体のなす角αが脇を締めたときよりも大きくなり、上腕Ａ１と下腕Ａ２の回転中心となる肘が胴体からより離れた状態となってしまう。そのため、上半身を押し上げるために必要な肩周りの力が効率良く伝達できず、上半身を押し上げる際の入浴者Ｍの負担が大きくなってしまう。したがって、入浴者Ｍの負担を軽減させるためには、入浴者Ｍに脇を締めた状態で手摺１１の上面へ力を加えさせることが望ましい。
【０００６】
しかし、脇を締めた状態で手摺１１の上面に対し力を加えた場合、図８に示すように、脇を開いた状態のときよりも肘が胴体に近づき、下腕Ａ２と手摺１１の上面の法線とがなす角βが脇を開いたときよりも大きくなるため、手摺１１に加えた力が、手摺１１の上面と平行な方向へ作用しやすくなる。したがって、入浴者Ｍが上半身を押し上げる際、手摺１１上面で手が滑りやすくなり、入浴者が怪我をする恐れがある。
【０００７】
本発明は、上記問題点を解決するためになされたものであり、入浴者が自身の上半身を手摺を使って押し上げる際、入浴者の手の滑りを防止すると共に、入浴者にかかる負担を軽減することが可能な手摺付浴槽を提供することを目的とする。
【課題を解決するための手段】
【０００８】
本発明に係る手摺付き浴槽は、相対する一対の長辺側内壁面と相対する一対の短辺側内壁面とからなる内槽を有する上面視長方形状の浴槽と、一対の長辺側内壁面それぞれに取り付けられた一対の手摺と、を備えた手摺付浴槽において、手摺の上面全体には、入浴者が入浴者の手の平により下方に押圧力を加えるための被押圧面部が形成されており、被押圧面部は、浴槽の短辺方向の中心側に向かって、全体が下降傾斜していることを特徴とする。
【０００９】
一対の手摺の被押圧面部が浴槽内側下方に傾斜している場合、被押圧面部に垂直に力を加えるためには、入浴者は肘を胴体に近づけて胴体とは反対側の斜め下方に力が加えられるよう両腕を配置しなければならない。通常、入浴者は自身の上半身を押し上げる際、被押圧面部にできる限り大きな力を加えようと被押圧面部に対し垂直に力を加えることから、本発明のように一対の手摺が有する被押圧面部をそれぞれ浴槽内側下方に傾斜させることによって、入浴者が上半身を押し上げる際に入浴者に自然と肘を胴体に近づけさせ、脇を締めさせることができる。これにより、入浴者が上半身を押し上げる際、腕に加えている力を上半身を持ち上げるための力として有効に作用させることが可能となる。また、入浴者が被押圧面部に対して垂直に力を加えることから、入浴者が加えた力が被押圧面部と平行な方向に作用することを防止できる。したがって、本発明は、入浴者が上半身を押し上げる際の、入浴者の手の滑りを防止すると共に、入浴者にかかる負担を軽減することが可能となる。
【００１０】
本発明は、好ましくは、手摺は、入浴者が立ち上がる際に入浴者により把持される把持部を備えており、この把持部は、被押圧面部を有すると共に、横断面視において被押面部の下方側に向う法線方向に鋭角状に突出した指掛け部が設けられている。
【００１１】
このように構成された本発明においては、入浴者が被押圧面部を有する把持部を握った際に、指掛け部に指をかけることができる。特に、本発明においては、この指掛け部が、手摺の横断面視において、被押圧面部が入浴者に押圧される方向に鋭角状に突出しているため、鈍角状に突出している場合に比べ、指先でこの指掛け部をしっかりと挟み込むことができる。したがって、入浴者の手をよりしっかりと把持部に固定させることができるため、より確実に手の滑りを防止することが可能となると共に、これによって脇を締めた状態を維持しやすくなることから、より確実に入浴者の負担を軽減させることが可能となる。
【発明の効果】
【００１２】
本発明の手摺付浴槽によれば、入浴者が自身の上半身を手摺を使って押し上げる際、入浴者の手の滑りを防止すると共に、入浴者にかかる負担を軽減することが可能となる。
【図面の簡単な説明】
【００１３】
【図１】本発明の実施形態に係る手摺付浴槽の全体斜視図。
【図２】図１のＸ−Ｘ線に沿って切断した手摺付浴槽の概略断面図。
【図３】本発明の実施形態における手摺付浴槽の平面図。
【図４】入浴者が本発明の実施形態における手摺を握った際の様子を表す図。
【図５】入浴者が本発明の実施形態における手摺付浴槽を使って自身の上半身を押し上げる際の様子を表す図。
【図６】本発明における手摺の他の実施形態の横断面形状を表す図。
【図７】脇を開いた状態で従来の手摺を使って入浴者が自身の上半身を押し上げる際の様子を表す図。
【図８】脇を締めた状態で従来の手摺を使って入浴者が自身の上半身を押し上げる際の様子を表す図。
【発明を実施するための形態】
【００１４】
以下、本発明の実施の形態を図面に基づき説明する。
【００１５】
図１は本発明の実施形態に係る手摺付浴槽の全体斜視図である。図２は、図１のＸ−Ｘ線に沿って切断した手摺付浴槽の概略断面図である。図３は、本実施形態における手摺付浴槽の平面図である。
【００１６】
図１〜図３に示すように、本実施形態の手摺付浴槽２は、内槽部４、リム部６、外槽部８、および、手摺１０を備えている。
【００１７】
手摺１０は、入浴者が着座姿勢から立ち上がる際などの動作を補助するためのものであり、図４に示すように、手摺１０の長手方向に垂直な断面の形状は、角に丸みを帯びた正三角形となっている。そして、この手摺１０は、その長手方向に沿って全て同一の断面形状となるよう構成されている。
【００１８】
手摺１０は、平面視形状が矩形である手摺付浴槽２における長辺側の相対する内槽部４の長辺側側壁（４ａおよび４ｂ）にそれぞれ一つずつ取り付けられている。より具体的には、長辺側側壁４ａ、４ｂの裏側から、ネジ等を脚部材１２を介して手摺１０にねじ込むことによって、長辺側側壁４ａ、４ｂそれぞれに手摺１０を取り付けている。なお、本実施形態においては、手摺１０は、その長手方向において脚部材１２が設けられていない部分全てが把持可能であり、この把持可能な部分が本発明の把持部に相当する。
【００１９】
なお、本実施形態において、手摺１０は、その一側面が取り付け先の長辺側側壁の内側側面と平行になるよう取り付けられているため、脚部材１２は直方体をなすものでよく、複雑な形状を要しないことから、この脚部材１２の製造コストを低く抑えることが可能となる。
【００２０】
また、長辺側側壁４ａ、４ｂは、水平面に対して垂直となるよう形成されており、手摺１０の横断面形状は略正三角形であることから、長辺側側壁４ａ、４ｂに取り付けられている手摺１０の一側面１０ａは、図２に示すように水平面に対して３０度傾いた状態となっている。すなわち、一対の手摺１０の一側面１０ａはそれぞれ、内槽部４の内側下方へ傾斜した状態となっている。なお、この一対の手摺１０は、同一の高さになるよう内槽部４の長辺側側壁４ａ、４ｂそれぞれに取り付けられている。さらに、図３に示すように、この一対の手摺１０は、内槽部４の短手方向の中心線Ｃに対して左右対称となる位置に取り付けられている。
【００２１】
このようにして取り付けられた一対の手摺１０は、図２および図４に示すように、上方を指向する一側面１０ａが入浴者の手の平によって押圧される被押圧面部を構成し、内槽部４の底面１４を指向する一側面１０ｂおよび内槽部４の側面を指向する一側面１０ｃは、入浴者が手摺１０を握る場合に、親指と他の指により挟まれる被挟持部をなすと共に、これらの側面が交わる部分の近傍は、手摺１０の把持時に、屈折した指先に力（図４におけるＰａ、Ｐｂ）が加えられることによって、指先で挟み込まれる指掛け部１０ｄを構成している。
【００２２】
次に、本実施形態の入浴者の立ち上がり動作において、入浴者が上半身を押し上げる際の入浴者の手摺１０への力の加え方について説明する。図５は、入浴者が自身の上半身を押し上げるときの様子を表した図である。
【００２３】
入浴者Ｍは、上半身を押し上げる際、内槽部４の内側下方へ傾斜した被押圧面部１０ａに大きな力を加えようとして、自然とその被押圧面部１０ａに対して垂直に力を加えることが可能な位置へと腕を配置する。被押圧面部１０ａに対し垂直に力を加えるためには、肘を胴体に近づけることにより下腕Ａ２が被押圧面１０ａに対して略垂直になるよう腕を配置しなければならないため、入浴者Ｍは、自然と胴体と上腕Ａ１とのなす角度αを小さくし、脇を締めた状態となる。
【００２４】
この状態で、入浴者Ｍは自身の上半身を上方へ押し上げるために被押圧面１０ａに対して力を加える。上半身を押し上げる際、入浴者Ｍの脇は開きづらく、このとき腕に加えている力が上半身を起こすための力として有効に作用する。これにより、入浴者Ｍは小さな負担で楽に上半身を押し上げることが可能となる。また、入浴者Ｍは脇を締めた状態で被押圧面１０ａに対して垂直に力を加えることができるため、加えた力が被押圧面部１０ａと平行な方向に分散することがなく、手の平が被押圧面部１０ａ上で滑ることを防止することができる。
【００２５】
また、本実施形態においては、手摺１０の指掛け部１０ｄに入浴者が指を掛け、この指掛け部１０ｄを指先に力を加えて挟み込むことにより、より確実に手を手摺１０に固定させることができるため、手が滑って手摺１０の中心軸Ｓ周りに手が回転することを防止することができる。
【００２６】
さらに、図２に示すように、本実施形態においては、手摺付浴槽２を上面視した場合、手摺１０の全域が被押圧面部１０ａからなるよう構成されているため、入浴者が手摺１０に手の平を載せる際、自然と手の平を被押圧面部１０ａに載せることできる。したがって、入浴者が上半身を押し上げる際、入浴者は自然に脇を締めた状態となり、これにより、より確実に入浴者にかかる負担を軽減することが可能となる。
【００２７】
なお、本発明の実施形態においては、手摺１０の横断面形状は、角に丸みのある正三角形であったが、本発明はこれに限定されるものではなく、例えば、図６に示すように五角形のものなど、他の多角形であってももちろん構わない。なお、図６に示した例では、例えば、手摺３０の上面３０ａを被押圧面部とし、この被押圧面部３０ａの法線方向下方へ鋭角状に突出している突出部を指掛け部とすることができる。
【符号の説明】
【００２８】
２…手摺付浴槽
４…内槽部
４a、４ｂ…長辺側側壁
６…リム部
８…外槽部
１０…手摺
１０ａ…被押圧面部（手摺１０の一側面）
１０ｂ、１０ｃ…手摺１０の一側面
１０ｄ…指掛け部
１２…脚部材
１４…底面
【図１】
0005928982.tif 000002
【図２】
0005928982.tif 000003
【図３】
0005928982.tif 000004
【図４】
0005928982.tif 000005
【図５】
0005928982.tif 000006
【図６】
0005928982.tif 000007
【図７】
0005928982.tif 000008
【図８】
0005928982.tif 000009